(57)【特許請求の範囲】
【請求項１】
軸方向の両端が開口した中空円筒形のフレームと、
前記フレームに、前記開口の一方に隣接し、かつ軸方向に直交する平面上で互いに平行に設置された２本の支持ピンと、
前記各支持ピンに支持され、前記開口を閉じる閉位置と前記開口を開く開位置との間で回動可能な複数のダンパー板と、
前記各ダンパー板を閉位置に向けて付勢する付勢部材と、を備え、
前記ダンパー板は前記支持ピンより内側の内側ダンパー板と外側の外側ダンパー板とからなり、
前記内側ダンパー板と前記外側ダンパー板は前記フレーム内を流れるガスの風圧により閉位置から付勢部材に抗して開位置方向へ開き、
前記内側ダンパー板は矩形であり、
前記外側ダンパー板は直線と円弧で囲まれている三日月形である、ことを特徴とする逆流防止ダンパー。
【請求項２】
前記２本の支持ピンは前記開口の中心に対して対称かつ前記中心から同じ距離の位置に設置されていること、を特徴とする請求項１に記載の逆流防止ダンパー。
【請求項３】
前記フレームは前記ダンパー板の風上側に閉位置でダンパー板を止める突周部を備える、ことを特徴とする請求項１又は２のいずれかに記載の逆流防止ダンパー。
【請求項４】
前記付勢部材はコイルばねであること、を特徴とする請求項１から３のいずれかに記載の逆流防止ダンパー。
【請求項５】
前記フレーム、前記ダンパー板はアルミ、ステンレス、スチールのいずれかである、ことを特徴とする請求項１から４のいずれかに記載の逆流防止ダンパー。
【請求項６】
前記支持ピンが隣接する開口と反対側の開口に、一定の温度以上で作動する温度ヒューズが中央に設置されている防火ダンパーを備え、
逆流防止ダンパーのダンパー板と防火ダンパーの防火ダンパー板とがフレームの軸方向に対して同じ方向に開くように構成されていることを特徴とする請求項１から５のいずれかに記載の逆流防止ダンパー。
【請求項７】
前記支持ピンが隣接する開口に、一定の温度以上で作動する温度ヒューズが中央に設置されている防火ダンパーを備え、
逆流防止ダンパーのダンパー板が開く向きと防火ダンパーの防火ダンパー板が開く向きがフレームの軸方向に対して逆になるように構成されていること、を特徴とする請求項１から５のいずれかに記載の逆流防止ダンパー。
【発明の詳細な説明】
【技術分野】
【０００１】
本発明は、排気ダクトに設置される逆流防止ダンパーに関する。
【背景技術】
【０００２】
中高層の共同住宅に設置される燃焼器具の排気を排気シャフト方式により行う場合は、外気圧による室内への逆流を防止するため、ダクトに逆流防止ダンパーを設置することが定められている。こうしたことから、一般に排気ダクトの所定位置に逆流防止ダンパーを配置している。この逆流防止ダンパーは一定方向のガスの流れに対して通風を開放させ、逆方向のガスの流れに対しては通風遮断を行うものである。これにより、ダクトを通じて外部から室内に外気が入ってくること、あるいは、排気が逆流することを防いでいる。
【０００３】
図１に示すように、中空円筒形のフレーム内２を横切るようにフレーム２の中心に支持ピン３が設置され、支持ピン３の両側に設置されたダンパー板４が一定方向のガスの流れに対して一方向に回転開放する逆流防止ダンパー１が開示されている（特許文献１）。
その他逆流防止ダンパーとして特許文献２が開示されている。
【０００４】
一方、耐火構造等の防火区画を換気・暖房・冷房設備・燃焼器具のダクトが貫通する場合、防火ダンパーを設置することが建築基準法で定められている。防火ダンパーは、火災が発生した際、自動的に換気路を閉鎖して遮炎、遮煙機能を発揮し、火災の被害を最小限に食い止める。防火ダンパーは特許文献３、特許文献４、特許文献５に開示されている。
【０００５】
このように、上述した逆流防止ダンパーと防火ダンパーは、中高層の共同住宅において必要不可欠な設備である。
【先行技術文献】
【特許文献】
【０００６】
【特許文献１】特開２００７−２９８２３９号公報
【特許文献２】特開平１０−２８８３９３号公報
【特許文献３】実用新案登録第３１５９６２４号
【特許文献４】特開平７−３９５９６号公報
【特許文献５】特開平５−３１２０４号公報
【発明の概要】
【発明が解決しようとする課題】
【０００７】
ダクト内の流速は、中央付近が最も速く、ダクトの内壁に近づくにつれ、空気抵抗を生じて遅くなることが知られている。しかし、図１（Ｂ）に示すように、特許文献１の逆流防止ダンパー１は、中心に支持ピン３があり、その支持ピン３を中心としてダンパー板４が回動する構造になっている。そのため、最も流速の速い中央のガスが支持ピン３にあたり、空気抵抗が生じてしまう。その反面、ダンパー板４の先端を押す風圧は弱いため、ダンパー板４が開きにくかった。
【０００８】
一方、一般に防火ダンパーは、逆流防止ダンパーと同じく、フレームの中心に支持ピンを設置し、支持ピンの両側に防火ダンパー板を取り付け、防火ダンパー板を折りたたんではさむ形で温度ヒューズがある。そのため、温度ヒューズは防火ダンパーの中央に設置されることが多い。そして防火ダンパーが閉鎖するためには大量の高温ガスが防火ダンパーの中心を通る必要がある。また、逆流防止ダンパー１を設置する際に、防火ダンパーの室内側に逆流防止ダンパーを設置することが一般的である。
しかし、特許文献１の逆流防止ダンパー１を通った空気は一度、逆流防止ダンパー１の中央にある支持ピン３にぶつかり、ダンパー板４をつたってフレーム２の内壁付近に開かれた隙間を通過する。したがって、逆流防止ダンパー１の風下付近では、中心部分を通る風量が少なくなる。
そのため、逆流防止ダンパー１と防火ダンパーを近づけて設置すると、中心部分のガスの通過が少なくなり、温度ヒューズの温度が十分に上がらない。そのため温度ヒューズがうまく作動しないおそれがあった。それにより、逆流防止ダンパー１を防火ダンパーから離して設置しなければならず、逆流防止ダンパー１をダクトに設置し、その後防火ダンパーをダクトに設置するという煩雑な工程が必要だった。
【０００９】
また、ダンパー板が最大限に開いた場合でも、ダンパー板がフレーム内に収まる必要があるため、フレームの厚み（軸方向長さ）は最薄でもフレームの半径分必要だった。
【００１０】
また、特許文献２の逆防止用対向翼ダンパーはバランスウェイトとリンク機構がフレームから突出している。そのため、ダクトに逆防止用対向翼ダンパーを設置する際、設置工程が煩雑になるという問題があった。
【００１１】
本発明は上述した問題点を解決するために創案されたものである。すなわち本発明の目的は、換気性能が良く、防火ダンパーと離さずに設置することができ、設置工程を合理化、簡素化することができ、フレームの厚み（軸方向長さ）が薄い、逆流防止ダンパーを提供することにある。
【課題を解決するための手段】
【００１２】
本発明によれば、軸方向の両端が開口した中空円筒形のフレームと、
前記フレームに、前記開口の一方に隣接し、かつ軸方向に直交する平面上で互いに平行に設置された２本の支持ピンと、
前記各支持ピンに支持され、前記開口を閉じる閉位置と前記開口を開く開位置との間で回動可能な複数のダンパー板と、
前記各ダンパー板を閉位置に向けて付勢する付勢部材と、を備え、
前記ダンパー板は前記支持ピンより内側の内側ダンパー板と外側の外側ダンパー板とからなり、
前記内側ダンパー板と前記外側ダンパー板は前記フレーム内を流れるガスの風圧により閉位置から付勢部材に抗して開位置方向へ開き、
前記内側ダンパー板は矩形であり、
前記外側ダンパー板は直線と円弧で囲まれている三日月形である、ことを特徴とする逆流防止ダンパーが提供される。
【００１４】
また、前記２本の支持ピンは前記開口の中心に対して対称かつ前記中心から同じ距離の位置に設置されている。
【００１５】
また、前記フレームは前記ダンパー板の風上側に閉位置でダンパー板を止める突周部を備える。
【００１６】
また、前記付勢部材はコイルばねである。
【００１７】
また、前記フレーム、前記ダンパー板はアルミ、ステンレス、スチールのいずれかである。
【００１８】
また、前記支持ピンが隣接する開口と反対側の開口に、一定の温度以上で作動する温度ヒューズが中央に設置されている防火ダンパーを備え、逆流防止ダンパーのダンパー板と防火ダンパーの防火ダンパー板とがフレームの軸方向に対して同じ方向に開くように構成されている。
【００１９】
また、前記支持ピンが隣接する開口に、一定の温度以上で作動する温度ヒューズが中央に設置されている防火ダンパーを備え、逆流防止ダンパーのダンパー板が開く向きと防火ダンパーの防火ダンパー板が開く向きがフレームの軸方向に対して逆になるように構成されている。
【発明の効果】
【００２０】
上述した本発明の逆流防止ダンパーによれば、ダクトの中央を通過する最速のガスが内側ダンパー板の支持ピンの内側に当たるため、ダンパー板が開きやすい。そのため、換気性能が向上する。
また、ダクトの中央を通過する最速のガスが大量に、流速を保ったまま逆流防止ダンパーの中央を通過する。逆流防止ダンパーを通過したガスもまた、中央の流速が最速となる。そのため、防火ダンパーの中央に設置されている温度ヒューズに大量のガスが接触することができ、たとえ逆流防止ダンパーと防火ダンパーの距離が近くても防火ダンパーの温度ヒューズを確実に作動させることができる。
また、逆流防止ダンパーと防火ダンパーの距離を離して設置する必要がないため、防火ダンパーとセットにして製品化することができる。さらに、既にある既製品の防火ダンパーに被せて使用したり、防火ダンパーと逆流防止ダンパーを一体品として製造したりすることができる。それにより、防火ダンパーと逆流防止ダンパーの設置工程を合理化することができる。
さらに、フレームの外部に突出した部品がないため、逆流防止ダンパーをダクトにそのまま挿入することができ、さらに設置工程を簡素化することができる。
また、ダンパー板が４分割されているため、ダンパー板の幅は、中心から支持ピンまでの長さ、もしくは支持ピンからフレームまでの長さだけで良い。そのため、フレームの厚み（軸方向長さ）を薄くすることができる。これにより、ダクトの距離が短い場所にも設置することができる。
【図面の簡単な説明】
【００２１】
【図１】従来の逆流防止ダンパーを室外側から見た図（Ａ）と従来の逆流防止ダンパーを防火ダンパーと組み合わせた場合の断面図（Ｂ）である。
【図２】本発明による第１実施形態の逆流防止ダンパーを室外側から見た図である。
【図３】図２のＸ−Ｘ線における断面図である。
【図４】図２の逆流防止ダンパーを室内側から見た斜視図である。
【図５】本発明による第２実施形態の逆流防止ダンパーの断面図である。
【図６】本発明による第３実施形態の逆流防止ダンパーの断面図である。
【図７】本発明による第４実施形態の逆流防止ダンパーの断面図である。
【図８】本発明による第５実施形態の逆流防止ダンパーの断面図である。
【発明を実施するための形態】
【００２２】
以下、本発明の好ましい実施形態を添付図面に基づいて詳細に説明する。なお、各図において共通する部分には同一の符号を付し、重複した説明を省略する。
【００２３】
図２は本発明による第１実施形態の逆流防止ダンパー１０を室外側から見た図である。
図２において、１１は両端に開口部を有するフレーム、１２はフレームの内周側に突設された支持ピン、１３は支持ピンを軸とするダンパー板、１４はダンパー板が閉鎖した位置で止まるようにフレームに設置された突周部、１５は緩衝部材、１６はダンパー板を付勢する付勢部材である。また、１３ａは内側ダンパー板、１３ｂは外側ダンパー板、１３ｃは折り返し、１４ａは内側突周部、１４ｂは外側突周部である。
【００２４】
本実施例のフレーム１１は中空円筒形の形状をしており、その軸方向の両端が開口している。図２に示すように、フレーム１１の開口の一方に隣接して２本の支持ピン１２がフレーム１１の軸方向に直交する平面上で互いに平行に設置されている。
そして１本の支持ピン１２につき２枚のダンパー板１３が、各支持ピン１２に支持され、フレーム１１の開口を閉じる閉位置と開口を開く開位置との間で回動するように設置されている。また、支持ピン１２にはダンパー板１３を閉位置に向けて付勢する付勢部材１６が設置されている。
ここで、開位置とは、ダンパー板１３の面がフレーム１１の軸方向に平行又は平行に近くなる位置のことを指す。また、閉位置とはダンパー板１３が軸方向に直交する位置のことを指す。
【００２５】
本実施例のフレーム１１は、一般的なダクトの断面が円形であるため中空円筒形にしているが、ダクトの断面が矩形である場合には、それに合わせてフレーム１１をその横断面が方形の角筒状に形成してもよい。フレーム１１の素材は内部を流れるガス温度に耐えられる金属が良く、アルミ、ステンレス、スチールが好ましい。
【００２６】
支持ピン１２は直線の細い針金状の形状である。２本の支持ピン１２はフレーム１１の開口の一方に隣接し、かつ軸方向に直交する平面上で互いに平行に設置され、そして開口の中心に対して対称かつ中心から同じ距離の位置に設置されている。
本実施例では、支持ピン１２の両端をフレーム１１の突周部１４に固定している。しかし、支持ピン１２をフレーム１１に固定する方法はこれに限らず、フレーム１１に設けた小さい穴や溝に差し込んでもよい。また、ネジなどでフレーム１１に固定してもよい。
また、本実施例では、支持ピン１２がフレーム１１の半径の半分程度中心から離れた位置にそれぞれ設置されている。しかし、支持ピン１２の位置はこれに限らなくて良い。支持ピン１２がフレーム１１の中心から離れるほど、内側ダンパー板１３ａの支持ピン１２と接する辺縁の長さは短くなり、その辺縁に直交する辺縁の長さは長くなる。
【００２７】
支持ピン１２にはそれぞれ２枚のダンパー板１３が各支持ピン１２を中心に回動するように設置されている。ダンパー板１３は支持ピン１２より内側の内側ダンパー板１３ａと外側の外側ダンパー板１３ｂとからなる。なお、ダンパー板１３の素材は、内部を流れるガス温度に耐えられる金属が良く、アルミ、ステンレス、スチールが好ましい。
【００２８】
内側ダンパー板１３ａは矩形である。そのため、内側ダンパー板１３ａがフレーム１１の内壁にあたることなく、開位置まで開くことができる。内側ダンパー板１３ａにおいて、フレーム１１の中央にあたる辺縁には、内側ダンパー板１３ａを補強するための折り返し１３ｃがある。折り返し１３ｃがあることにより、内側ダンパー板１３ａの耐久性が強くなり、内側ダンパー板１３ａが変形しにくくなる。そのため、ダンパー板１３が閉まった時に中心からの隙間風を生じにくい。
【００２９】
外側ダンパー板１３ｂは直線と円弧で囲まれている略半月形、すなわち三日月形である。外側ダンパー板１３ｂの直線の辺縁が支持ピン１２に支持されている。外側ダンパー板１３ｂの円弧の辺縁のカーブは、フレーム１１の内壁のカーブに合っている。
【００３０】
フレーム１１の内周面かつダンパー板１３の風上側には、突周部１４が設けられている。この突周部１４によりダンパー板１３が閉位置で止まることができる。また、ダンパー板１３とフレーム１１の間にできた隙間を突周部１４が防ぐことにより、空気の逆流を確実に止めることができる。
突周部１４は内側ダンパー板１３ａが接触する内側突周部１４ａと、外側ダンパー板１３ｂが接触する外側突周部１４ｂとからなる。
本実施例の内側突周部１４ａは内側ダンパー板１３ａの辺縁にあわせ、内側ダンパー板１３ａに接触する辺縁が直線になっている。また、フレーム１１に接触する辺縁はフレーム１１内壁のカーブに沿って円弧にできている。
なお、ダンパー板１３と突周部１４とで空気を漏らすことなく確実に逆流を遮断できるならば、突周部１４の形状はその他の形状でもよい。
外側突周部１４ｂはフレーム１１のカーブにそって円弧にできている。本実施例の外側突周部１４ｂは、支持ピン１２側のフレーム１１の開口部の辺縁を内側に折り曲げることにより、フレーム１１と一体にできている。しかし、外側突周部１４ｂの形態はこれに限られず、フレーム１１と別に作成して設置してもよい。また、内側突周部１４ａと同様に、直線と円弧からなる形状でもよい。
内側突周部１４ａ及び外側突周部１４ｂにおけるダンパー板１３が接触する部分には、緩衝部材１５が備えられている。緩衝部材１５は例えば板状のゴムなどの弾性体などが用いられる。この緩衝部材１５によりダンパー板１３が開閉する時にダンパー板１３と突周部１４との接触により生じる音を静音化することができる。また、緩衝部材１５は金属でできている突周部１４に比べてやわらかく、ダンパー板１３と密着する。そのため、緩衝部材１５を使用しない時に比べて、逆流防止性能を上げることができる。
【００３１】
付勢部材１６は各ダンパー板１３を閉位置に向けて付勢する。本実施例の付勢部材１６は支持ピン１２に取り付けられたコイルばねであるが、ゴム等でもよい。この付勢部材１６によって、無風状態の時に、ダンパー板１３は閉位置に位置する。
【００３２】
なお、上記において、フレーム１１、ダンパー板１３はアルミ、ステンレス、スチールのいずれかである。
【００３３】
次に、図３、図４において、本発明の使用形態を説明する。図３は図２のＸ−Ｘ線における断面図である。図３（Ａ）はダンパー板１３の閉鎖時を示し、図３（Ｂ）はダンパー板１３の開放時を示す。また、図４は図２の逆流防止ダンパー１０を室内側から見た斜視図である。図４（Ａ）はダンパー板１３の閉鎖時を示し、図４（Ｂ）はダンパー板１３の開放時を示す。
【００３４】
無風の時やガスの逆流が生じている時、逆流防止ダンパー１０のダンパー板１３は、図３（Ａ）や図４（Ａ）に示したように閉鎖している。
室内側からフレーム１１内をガスが流れると、図３（Ｂ）や図４（Ｂ）に示したように、フレーム１１内を流れるガスの風圧により、内側ダンパー板１３ａと外側ダンパー板１３ｂとが閉位置から付勢部材１６に抗して開位置方向へ開く。
【００３５】
上述したように、ダスト内のガスの流速は、ダストの中央が最も速い。本発明の逆流防止ダンパー１０の中央には２枚の内側ダンパー板１３ａがあり、それらが最も流速の速いガスによって大きく観音開きする。フレーム１１の中央が大きく開くため、空気抵抗を生じるものはフレーム１１の中央に無い。そのため、ダストの中央を流れる大量のガスが、その流速を落とすことなく、フレーム１１の中央を通過することができる。
また、外側ダンパー板１３ｂもダンパー内のガスの風圧により開く。つまり、ダストの内壁付近を流れるガスが外側ダンパー板１３ｂを開き、通過する。
【００３６】
図５は本発明による第２実施形態の逆流防止ダンパー１０の断面図である。図５（Ａ）は、防火ダンパー１７を支持ピン１２が隣接する開口と反対側の開口に設置した、本発明による第２実施形態の逆流防止ダンパーの断面図である。図５（Ｂ）は図５（Ａ）のＡ−Ａ断面図である。
ダストの中央を流れる大量のガスが、その流速を落とすことなく、フレーム１１の中央を通過することができるという特徴により、次に述べる第２実施形態が可能となる。以下に、図５を用いて第２実施形態について説明する。
なお、１７は防火ダンパー、１８は温度ヒューズ、１９は中央開口部、２０は防火支持ピン、２２は防火ダンパー板を示す。
【００３７】
上述したように、防火ダンパー１７は、フレームの中心に防火支持ピン２０を設置し、防火支持ピン２０の両側に防火ダンパー板２２を取り付け、防火ダンパー板２２を折りたたんではさむ形で温度ヒューズがある。そのため、防火ダンパー１７の温度ヒューズ１８は防火ダンパー１７の中央に設置されることが一般的である。温度ヒューズ１８が作動するためには、防火ダンパー１７の中央を大量の熱風が通過する必要がある。
【００３８】
第２実施形態の逆流防止ダンパー１０には、支持ピン１２が隣接する開口と反対側の開口（すなわち、室外側）に防火ダンパー１７が備えられ、逆流防止ダンパー１０のダンパー板１３と防火ダンパー１７の防火ダンパー板２２とがフレーム１１の軸方向に対して同じ方向に開くように構成されている。この防火ダンパー１７は一定の温度以上で作動する温度ヒューズ１８が中央に設置されているものがよい。また、温度ヒューズ１８が設置される場所は中央でなくても、フレーム１１の中央にある開口部（以下、中央開口部１９とする。）を通過したガスが大量に接触できる部位であればよい。
防火ダンパー１７を逆流防止ダンパー１０に設置する方法としては、図５に示すようにクリップやネジ留め等があげられる。また、既存の防火ダンパー１７を本発明の逆流防止ダンパー１０と組み合わせて、テープで留めてもよい。
【００３９】
図６は本発明による第３実施形態の逆流防止ダンパー１０の断面図である。また、図６（Ａ）は、防火ダンパー１７を支持ピン１２が隣接する開口と反対側の開口と一体化して製造した本発明による第３実施形態の逆流防止ダンパーの断面図である。図６（Ｂ）は図６（Ａ）のＡ−Ａ断面図である。
第３実施形態の逆流防止ダンパー１０も、支持ピン１２が隣接する開口と反対側の開口に防火ダンパー１７が備えられ、逆流防止ダンパー１０のダンパー板１３と防火ダンパー１７の防火ダンパー板２２とがフレーム１１の軸方向に対して同じ方向に開くように構成されている。
第３実施形態は、初めから防火ダンパー１７を逆流防止ダンパー１０と一体にして製造している点が第２実施形態と異なる。
その他の点については第２実施形態と同様である。
【００４０】
図７は本発明による第４実施形態の逆流防止ダンパーの断面図である。図７（Ａ）は、防火ダンパー１７を支持ピン１２が隣接する開口に設置した、本発明による第４実施形態の逆流防止ダンパーの断面図である。図７（Ｂ）は図７（Ａ）のＡ−Ａ断面図である。
図７において、逆流防止ダンパー１０の側が室内であり、防火ダンパー１７の側が室外である。
第４実施形態の逆流防止ダンパー１０には、支持ピン１２が隣接するフレーム１１の開口に防火ダンパー１７が備えられている。この防火ダンパー１７は一定の温度以上で作動する温度ヒューズ１８が中央に設置されているものがよい。そして、逆流防止ダンパー１０のダンパー板１３は防火ダンパー１７が設置されている側と反対側に向かって開く。すなわち、逆流防止ダンパー１０のダンパー板１３が開く向きと防火ダンパー１７の防火ダンパー板２２が開く向きがフレーム１１の軸方向に対して逆になるように構成されている。
【００４１】
この構造により、通常時には、排気を防止させつつ、外気を給気することができる。
一方、火災が発生した際には、防火ダンパー１７が自動的に換気路を閉鎖し、室外から入る炎や煙を遮断することができる。
なお、室外にはフードを付けても良い。また、逆流防止ダンパー１０防火ダンパー１７はクリップやネジ留め等で留めても良い。また、既存の防火ダンパー１７を本発明の逆流防止ダンパー１０と組み合わせて、テープで留めてもよい。
【００４２】
図８は本発明による第５実施形態の逆流防止ダンパーの断面図である。図８（Ａ）は、防火ダンパー１７を支持ピン１２が隣接する開口と一体化して製造した本発明による第５実施形態の逆流防止ダンパーの断面図である。図８（Ｂ）は図８（Ａ）のＡ−Ａ断面図である。
また、２１は、閉位置で防火ダンパー板２２を止めるための防火突周部である。
第５実施形態は、初めから防火ダンパー１７を逆流防止ダンパー１０と一体にして製造している点が、第４実施形態と異なる。内側突周部１４ａと外側突周部１４ｂは、逆流防止ダンパー１０のダンパー板１３の風上側であり、防火ダンパー１７の防火支持ピン２０及び防火突周部２１と支持ピン１２の間に設置されている。
その他の点については、第４実施形態と同様である。
【００４３】
なお、上記において、フレーム１１、ダンパー板１３はアルミ、ステンレス、スチールのいずれかである。
【００４４】
上述した発明によれば、以下の効果が得られる。
１．換気性能の向上
ダクトの中央を通過する最も流速の速いガスが内側ダンパー板１３ａの支持ピン１２の内側に当たるため、ダンパー板１３が開きやすい。そのため、換気性能が向上する。
【００４５】
２．逆流防止ダンパー１０の風下に設置した防火ダンパー１７の作動性の向上
ダクトの中央を通過する最も流速の速い大量のガスが、その速い流速を保ったまま逆流防止ダンパー１０の中央に開いた中央開口部１９を通過する。逆流防止ダンパー１０を通過したガスもまた、中央の流速が最速となる。そのため、防火ダンパー１７の中央に設置されている温度ヒューズ１８に大量のガスが接触することができ、たとえ逆流性防止ダンパー１０と防火ダンパー１７の距離が近くても防火ダンパー１７の温度ヒューズ１８を確実に作動させることができる。
【００４６】
３．設置工程の合理化
上述したように逆流性防止ダンパーと防火ダンパー１７の距離が近くても防火ダンパー１７を確実に作動させることができる。この利点により、逆流防止ダンパー１０を防火ダンパー１７から離して設置する必要はない。そのため、逆流防止ダンパー１０に防火ダンパー１７を備えるなど、逆流防止ダンパー１０と防火ダンパー１７を一体化することができる。例えば、逆流防止ダンパー１０を防火ダンパー１７とセットにして製品化することができる。また、既にある既製品の防火ダンパー１７に被せて使用したり、防火ダンパー１７と逆流防止ダンパー１０を一体品として製造したりすることができる。この防火ダンパー１７を一体化した逆流防止ダンパー１０を採用することにより、この逆流防止ダンパー１０とは別に防火ダンパー１７を設置する必要はない。これにより、防火ダンパー１７を設置する工程を省略でき、設置工程を合理化することができる。
【００４７】
４．設置工程を簡素化
本発明の逆流防止ダンパー１０は、逆流防止ダンパー１０の中央が開くという機能をフレーム１１の外部に突出した部品を付けずに可能にしている。これにより、逆流防止ダンパー１０をダクトにそのまま挿入することができ、設置工程を簡素化することができる。
【００４８】
５．コンパクト化
ダンパー板１３が４分割されているため、ダンパー板１３の幅は、中心から支持ピン１２までの長さ、もしくは支持ピン１２からフレーム１１までの長さだけで良い。そのため、逆流防止ダンパー１０の厚みを薄くすることができる。これにより、ダクトの距離が短い場所にも設置することができる。
【００４９】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【符号の説明】
【００５０】
１０  逆流防止ダンパー、１１  フレーム、１２  支持ピン、１３  ダンパー板、１３ａ  内側ダンパー板、１３ｂ  外側ダンパー板、１３ｃ  折り返し、１４  突周部、１４ａ  内側突周部、１４ｂ  外側突周部、１５  緩衝部材、１６  付勢部材、１７  防火ダンパー、１８  温度ヒューズ、１９  中央開口部、２０  防火支持ピン、２１  防火突周部、２２  防火ダンパー板
【図１】
0005616208.tif 000002
【図２】
0005616208.tif 000003
【図３】
0005616208.tif 000004
【図４】
0005616208.tif 000005
【図５】
0005616208.tif 000006
【図６】
0005616208.tif 000007
【図７】
0005616208.tif 000008
【図８】
0005616208.tif 000009